(57)【特許請求の範囲】
【請求項１】
充電部を備えた水を収容する容器と、前記容器を囲み底面を開口してアース金具保持部を一体に設けた外枠と、前記外枠の側面に設けた貫通孔と、アース線接続端子と一体で前記アース金具保持部に係止する係止部を設けた導電性のアース金具と、前記アース金具を電気的に接続する着脱自在な導電性の接続手段とを備え、前記アース金具を前記外枠のアース金具保持部に挟持させるとともに前記貫通孔に前記アース線接続端子を挿入して抜け止め保持した電気湯沸かし器。
【請求項２】
容器とアース金具との電気的な接続手段は金属製の裏板を介し、前記裏板を容器固定ねじで容器に締結した請求項１記載の電気湯沸かし器。
【請求項３】
アース金具に孔を設け、裏板と容器に電気的に接続された前記アース金具を裏板固定ねじで外枠に共締め固定した請求項２記載の電気湯沸かし器。
【請求項４】
アース線接続端子が内側に押し込まれた時に当接するストッパーを本体内に備えた請求項１〜３の何れか１項記載の電気湯沸かし器。
【発明の詳細な説明】
【０００１】
【発明の属する技術分野】
本発明はアース線を接続するためのアース線接続端子を設けた電気湯沸かし器に関するものである。
【０００２】
【従来の技術】
電気製品に対する規格によりアース線を接続するためのアース線接続端子を電気湯沸かし器に設けなければならない場合がある。このような場合の電気湯沸かし器は図８および図９に示すような構造が一般的であった。すなわち、１は上方を開口した水を入れる容器で、容器１の底には電気ヒーター２が取り付けられている。３は容器１を覆う樹脂製の外枠で、外枠３の底面には開口部４が設けられ、開口部４は裏板５で覆われている。６は金属製の遮熱板で容器１に固定され、遮熱板６には容器１に外枠３をセットした後に金属製のアース金具７が取り付けられる。アース金具７にはめねじを有したアース線接続端子８が固着され、このアース線接続端子８は外枠３の側面に設けた貫通孔９に内側から挿入される。１０はアース線１１をアース線接続端子８に取り付ける固定ねじである。アース線１１をアース線接続端子８にねじ留めするとアース金具７および遮熱板６を介して、電気ヒーター２を備えた容器１がアース接続される。
【０００３】
【発明が解決しようとする課題】
しかしながら、前記従来の構成では容器１を外枠３内にセットした後にアース金具７を遮熱板６に取り付けなければならず狭い部分で作業をするため組み立てがやりにくいといったことや、容器１と外枠３の互いの位置がずれるとアース線接続端子１０を貫通孔１１に挿入することができず組み立てができないといった課題を有していた。
【０００４】
本発明はこのような従来の課題を解決するものであり、組み立てやすく、さらに容器と外枠の位置ずれに関係なく組み立てができるようにすることを目的としている。
【０００５】
【課題を解決するための手段】
上記課題を解決するために本発明は、アース線接続端子と一体で容器と導電性のリード線で接続されたアース金具を導電性材料で形成し、前記アース金具を外枠底面のアース金具保持部に挟持させ抜け止め保持したものである。
【０００６】
これにより、アース金具の取り付けは予め外枠にでき組み立てが容易となる。また、アース金具は外枠に直接固定され接続手段のリード線で着脱自在に接続されているため、容器の位置に関係なく組み立てをすることができる。
【０００７】
【発明の実施の形態】
本発明の請求項１記載の発明は、充電部を備えた水を収容する容器と、前記容器を囲み底面を開口してアース金具保持部を一体に設けた外枠と、前記外枠の側面に設けた貫通孔と、アース線接続端子と一体で前記アース金具保持部に係止する係止部を設けた導電性のアース金具と、前記アース金具を電気的に接続する着脱自在な導電性の接続手段とを備え、前記アース金具を前記外枠のアース金具保持部に挟持させるとともに前記貫通孔に前記アース線接続端子を挿入して抜け止め保持したもので、アース金具の取り付けは予め外枠にすることができ組み立てが容易となる。また、アース金具は外枠に直接固定されているため、容器の位置に関係なく組み立てをすることができる。
【０００８】
本発明の請求項２記載の発明は請求項１の構成において、容器とアース金具との電気的な接続手段を金属製の裏板と、前記裏板を容器に締結する容器固定ねじを介して行ったもので、リード線が必要なくねじ締めするだけでアース接続することができ、さらに組み立てが容易になる。
【０００９】
本発明の請求項３記載の発明は請求項２の構成において、アース金具の保持部に孔を設け、容器と電気的に接続された裏板をねじでアース金具と共締め固定したもので、アース金具と容器とのアース導通がより確実になる。
【００１０】
本発明の請求項４記載の発明は請求項１〜３の何れかの構成において、アース線接続端子が内側に押し込まれた時に当接するストッパーを本体内に備えたもので、アース線接続端子が内側に無理に押し込まれても挿入孔からはずれてしまうことがない。
【００１１】
【実施例】
以下本発明の実施例について図面を参照して説明する。
【００１２】
（実施例１）
図１は本発明の実施例１の電気湯沸かし器の下部断面を示す図、図２は同電気湯沸かし器の要部拡大断面を示す図、図３は同電気湯沸かし器のアース金具とアース線接続端子の平面図である。図１から図３において、２１は上方を開口した水を入れる容器で、容器２１の底にはヒーター２２が取り付けられている。２３は容器２１を覆う樹脂製の外枠で、外枠２３の底面２３ａには開口部２４が設けられ、開口部２４は金属製の裏板２５で覆われている。２６はめねじを有したアース線接続端子で、アース線接続端子２６は外枠２３の側面に設けた貫通孔２７に内側から挿入される。２８はアース線接続端子２６を取り付けたアース金具で、弾性のある導電性の材料で略コ字状の係止部に爪２９が形成されている。外枠２３の底面２３ａにはアース線接続端子２６を貫通孔２７に挿入した時にアース金具に挟持されるアース金具保持部２３ｂが一体に形成されている。アース金具保持部２３ｂには凹部３０が設けられている。３１は容器２１に固定された遮熱板３９に接続されたリード線で、その一端はアース金具２８に設けられたタブ端子３２に接続される。３３はアース線３４をアース線接続端子２６に取り付ける固定ねじである。
【００１３】
次に、前述した電気湯沸かし器の作用について説明する。アース金具２８を外枠２３のアース金具保持部２３ｂに取り付ける時には、アース金具保持部２３ｂにアース金具２８のコ字状の開口部をスライドさせる。すると、アース金具２８はまず係止部となる爪２９の分だけ広がり、爪２９が凹部３０の所までくると弾性で戻り、アース金具２８は抜けなくなる。その結果、アース金具２８はアース金具保持部２３ｂに抜け止め保持され、アース金具２８が固定された状態で外枠２３を取り扱うことができる。容器２１と外枠２３を組み立てる時には、アース金具２８が組み付けられた外枠２３を容器２１に被せ、リード線３１をタブ端子３２に接続する。そして、アース線３４をアース線接続端子２６に接続するとアース金具２８、リード線３１、遮熱板３９を介して、容器２１がアース接続される。
【００１４】
以上のように、アース金具２８の取り付けは、容器２１にセットする前の外枠２３に予めすることができ組み立てが容易である。
【００１５】
また、アース金具２８は外枠２３に直接固定されているため、容器２１の位置に関係なく組み立てをすることができる。
【００１６】
なお、図および説明ではアース金具２８の抜け止めを爪２９とアース金具保持部２３ｂの凹部３０の係合で行っているが、抜け止めの方法はこれに限らない。
【００１７】
（実施例２）
図４は実施例２の電気湯沸かし器の下部断面を示す図である。図４では、アース金具２８を裏板２５に接触させ、さらに裏板２５を金属製の容器固定ねじ３５で容器２１に取り付けられた容器支持金具４０に固定したもので、容器２１は容器支持金具４０、容器固定ねじ３５、裏板２５、アース金具２８、アース線接続端子２６を介してアース線３４とアース導通する。そのため、リード線３１は必要なく容器固定ねじ３５を締めるだけで容器２１をアース接続することができ、さらに組み立てが容易になる。
【００１８】
（実施例３）
図５は実施例３の電気湯沸かし器の下部断面を示す図である。図５では、アース金具２８の裏板２５側で裏板固定ねじ３６を締め込む部分に孔３７を設け、裏板２５と共に外枠３の底面２３ａのアース金具保持部２３ｂに固定したもので、容器２１と電気的に接続された裏板２５とアース金具２８とが強固に接触し、アース導通がより確実になる。なお、孔３７は溝でもよい。
【００１９】
（実施例４）
図６は実施例４の電気湯沸かし器の下部断面を示す図、図７は同電気湯沸かし器の要部拡大断面を示す図である。図６および図７では、アース線接続端子２６が内側に押し込まれた時のストッパー３８が容器２１側に取り付けられ、アース線接続端子２６が無理に本体の内側に押し込まれてもアース金具２８がストッパー３８に当たって押し込み量が規制され、アース線接続端子２６が貫通孔２７からはずれてしまうことがない。
【００２０】
なお、図および説明ではストッパー３８を容器２１に取り付けているが、取り付けは容器２１に限らない。また、ストッパー３８はアース金具２８を当てるだけの専用部品でなくてもよい。
【００２１】
【発明の効果】
前記実施例から明かなように、アース金具を外枠底部に挟持させ抜け止め保持したもので、アース金具の取り付けは容器にセットする前の外枠に予め組み付けることができ組み立てが容易となる。また、アース金具は外枠に直接固定されているため、容器の位置に関係なく組み立てをすることができる。
【図面の簡単な説明】
【図１】本発明の実施例１を示す電気湯沸かし器の下部断面図
【図２】同電気湯沸かし器の要部拡大断面図
【図３】同電気湯沸かし器のアース金具およびアース線接続端子の平面図
【図４】本発明の実施例２を示す電気湯沸かし器の下部断面図
【図５】本発明の実施例３を示す電気湯沸かし器の下部断面図
【図６】本発明の実施例４を示す電気湯沸かし器の下部断面図
【図７】同電気湯沸かし器の要部拡大断面図
【図８】従来例を示す電気湯沸かし器の断面図
【図９】同電気湯沸かし器の要部拡大断面図
【符号の説明】
２１  容器
２２  ヒーター（充電部）
２３  外枠
２３ｂ  アース金具保持部
２５  裏板
２６  アース線接続端子
２７  貫通孔
２８  アース金具
２９  爪（係止部）
３１  リード線（接続手段）
３５  容器固定ねじ
３６  裏板固定ねじ
３７  孔
３８  ストッパー
【図１】
0004239408.tif 000002
【図２】
0004239408.tif 000003
【図３】
0004239408.tif 000004
【図４】
0004239408.tif 000005
【図５】
0004239408.tif 000006
【図６】
0004239408.tif 000007
【図７】
0004239408.tif 000008
【図８】
0004239408.tif 000009
【図９】
0004239408.tif 000010